(57)【要約】【課題】使用上の利便性に優れ、しかも商品として流通時の梱包性に優れたトイレ用介助装置を提供する。【解決手段】高さ調整可能な左右一対の支柱１と、各支柱１の上端部同士を連結する長さ長説明可能な横架材３と、支柱１の上端部又は横架材３の両端部に肘掛４を備えるとともに、横架材３に背凭れ５を取付ける。係る構成によれば、支柱１が高さ調整可能とされ、横架材３が長さ調整可能であることから、肘掛４の高さ位置及び幅方向の間隔を、着座者も体格あるいは好みの着座姿勢に応じて最適に調整することができ、用便使用時の利便性が向上する。また、背凭れ５が横架材３に設けられ、支柱１の高さ調整に伴う肘掛４の高さの変化に追従して背凭れ５の高さも変更されるので、着座者は、肘掛４と背凭れ５の双方を一体として自己の好みに応じた最適状態で使用することができ、用便時の快適性が向上する。 【選択図】図１
2007151908.tif 000002
【特許請求の範囲】
【請求項１】
便器（８１）を幅方向に跨いだ両側位置にそれぞれ立設され且つその高さ調整可能とされた左右一対の支柱（１），（１）と、長さ調整が可能であって上記各支柱（１），（１）の上端部同士を連結する横架材（３）と、上記各支柱（１），（１）の上端部又は上記横架材（３）の両端部に前方へ延出状態で取付けられた左右一対の肘掛（４），（４）を備えるとともに、上記横架材（３）には背凭れ（５）を取付けて構成されたことを特徴とするトイレ用介助装置。
【請求項２】
請求項１において、
上記各支柱（１），（１）の下端が、上記便器（８１）の幅方向両側において該便器（８１）の前後方向へ向けて平行に接地固定された直状形体をもつ左右一対の接地脚（２），（２）に対して、該接地脚（２），（２）の軸方向へ位置調整可能に固定されていることを特徴とするトイレ用介助装置。
【請求項３】
請求項１又は２において、
上記背凭れ（５）が、上記横架材（３）に対して、前後方向へ傾動可能に且つ幅方向へ位置調整可能に取付けられていることを特徴とするトイレ用介助装置。
【発明の詳細な説明】
【技術分野】
【０００１】
本願発明は、洋式トイレに備えられて、主として、高齢者、身体障害者等の身体的弱者の用便時における動作あるいは姿勢を介助するためのトイレ用介助装置に関するものである。
【背景技術】
【０００２】
身体的弱者が洋式トイレを使用する場合において最も問題となるのが、便座への着座動作と、着座姿勢からの立ち上がり動作、及び用便中における姿勢保持である。このような身体的弱者の用便時の動作と姿勢保持を介助することを目的として、従来から種々の介助装置が提案されている（例えば、特許文献１〜３参照）。
【０００３】
特許文献１には、洋式トイレの便器の両側部から後部にかけて配置される略「コ」字形の平面形体をもつ手摺部と、該手摺部をその両側部において支持する左右一対の脚と、該各脚の下端に固定されて上記便器の前後方向に延びる足部を備えたトイレ用介助具であって、該介助具を上記便器側に設置した状態において、上記各脚部と上記便器の両側壁の間に伸縮棒をもった接続管を配置し、該接続管を伸長させて上記脚部を、左右のトイレ壁面に押圧付勢することで固定するようにしたものが開示されている。
【０００４】
特許文献２には、洋式便器の側方の床面に載置される左右一対の脚部と、該脚部に立設された左右一対の支柱と、該各支柱間を水平方向に連結する連結部からなるフレームを備え、該フレームを便器に固定するようにした手摺であって、上記各支柱には前方へ延びる肘掛を備え、該肘掛を上下方向に回動自在とするとともに、該肘掛の高さ位置を調整可能とし、さらに上記フレームの便器に対する取付位置を前後方向に調整可能としたものが示されている。
【０００５】
特許文献３には、略「コ」字形の平面形体をもち、洋式トイレの便器の左右両側及び後部を取り囲むように配置される上フレームと、略「Ｌ」字形の形体を有し上フレームの両側部をそれぞれ支持する左右一対の下フレームとを備え、上フレームの両側部のそれぞれに、個別に高さ調整可能な肘掛手摺を取付けるとともに、便器後部に対応する上フレームの中央部には背凭れを取り付けたトイレ用補助装置が示されている。
【０００６】
【特許文献１】特開平１１０−１９００４号公報
【特許文献２】特開２００４−３１３７３４号公報
【特許文献３】特開２００４−３４７号公報。
【発明の開示】
【発明が解決しようとする課題】
【０００７】
ところが、特許文献１に示されるものでは、略「コ」字形の平面形体をもつ手摺部が一体構成であってその幅寸法が固定され、しかも便器側壁とトイレ壁面の間の突っ張り作用によって介助具を固定するものであることから、トイレ室の幅寸法によっては安定した設置が困難になるなど、設置上の制約がある。また、大きな形体をもつ手摺部、及び脚部と足部が、ともに一体構成であって、上記介助具を商品として流通過程におく場合、梱包形体が不必要に大きくなるなど、梱包性という点においても問題がある。
【０００８】
特許文献２に示されるトイレ用手摺においては、その幅寸法、即ち、左右の肘掛相互間の間隔であって、トイレ使用者の存在スペースが固定され、その増減調整ができない構成であることから、例えば、トイレ使用者の体格等の条件によっては使い勝手が悪いという問題が生じることが懸念される。
【０００９】
特許文献３に示されるトイレ用補助装置では、上フレームに肘掛と背凭れが設けられているが、上記特許文献２の場合と同様に、上フレームの幅寸法が固定され、その増減調整ができない構成であることから、例えば、トイレ使用者の体格等の条件によっては使い勝手が悪いという問題が生じることが懸念される。また、大きな屈曲形体をもつ上フレームと下フレームが、ともに一体構成であるなど、全体として分解性が低く、流通過程におく場合における梱包性という点においても問題がある。
【００１０】
そこで、本願発明は、使用上の利便性に優れ、しかも商品として流通時の梱包性に優れたトイレ用介助装置を提供することを主たる１目的としてなされたものである。
【課題を解決するための手段】
【００１１】
本願発明では、上記課題を解決するために以下のような構成を採用している。
【００１２】
本願の第１の発明に係るトイレ用介助装置は、便器８１を幅方向に跨いだ両側位置にそれぞれ立設され且つその高さ調整可能とされた左右一対の支柱１，１と、長さ調整が可能であって上記各支柱１，１の上端部同士を連結する横架材３と、上記各支柱１，１の上端部又は上記横架材３の両端部に前方へ延出状態で取付けられた左右一対の肘掛４，４を備えるとともに、上記横架材３に背凭れ５を取付けて構成したことを特徴としている。
【００１３】
本願の第２の発明は、上記第１の発明に係るトイレ用介助装置において、上記各支柱１，１の下端を、上記便器８１の幅方向両側において該便器８１の前後方向へ向けて平行に接地固定された直状形体をもつ左右一対の接地脚２，２に対して、該接地脚２，２の軸方向へ位置調整可能に固定したことを特徴としている。
【００１４】
本願の第３の発明は、上記第１又は第２の発明に係るトイレ用介助装置において、上記背凭れ５を、上記横架材３に対して、前後方向へ傾動可能に、且つ幅方向へ位置調整可能に取付けたことを特徴としている。
【発明の効果】
【００１５】
本願発明では次のような効果が得られる。
（ａ）本願の第１の発明に係るトイレ用介助装置によれば、
左右一対の支柱１，１が高さ調整可能とされるとともに、該各支柱１，１の上端部同士を連結する横架材３が長さ調整可能とされていることで、上記各支柱１，１の上端部又は上記横架材３の両端部に取付けられた左右一対の肘掛４，４の高さ位置及び幅方向の間隔を、便座に着座した使用者の体格あるいは好みの着座姿勢に応じて最適に調整することができ、
また、背凭れ５が上記横架材３に設けられており、上記支柱１の高さ調整に伴う上記肘掛４の高さの変化に追従して上記背凭れ５の高さも変更されるので、便座に着座した使用者は、上記肘掛４と上記背凭れ５の双方を一体として自己の好みに応じた最適状態で使用することができ、
これらの相乗効果として、用便使用時の利便性及び快適性に優れたトイレ用介助装置を提供できる。
（ｂ）本願の第２の発明に係るトイレ用介助装置によれば、上記（ａ）に記載の効果に加えて次のような特有の効果が得られる。即ち、この発明では、上記各支柱１，１の下端を、上記便器８１の幅方向両側において該便器８１の前後方向へ向けて平行に接地固定された直状形体をもつ左右一対の接地脚２，２に対して、該接地脚２，２の軸方向へ位置調整可能に固定しているので、上記接地脚２，２全体を着脱することなく、上記支柱１，１の移動という簡単な操作のみによって、上記肘掛４，４及び背凭れ５を一体的に、上記便器８１に対してその前後方向へ移動させて便座に着座した使用者の体格あるいは好みの着座姿勢に応じて最適に調整することができ、用便使用時の利便性及び快適性の更なる向上とともに、設置作業及び位置調整作業における作業性の向上が期待できる。
（ｃ）本願の第３の発明に係るトイレ用介助装置によれば、上記（ａ）又は（ｂ）に記載の効果に加えて次のような特有の効果が得られる。即ち、この発明では、上記背凭れ５を、上記横架材３に対して、前後方向へ傾動可能に、且つ幅方向へ位置調整可能に取付けるようにしているので、
上記背凭れ５の傾斜角を、便座に着座した着座者の背中の傾きに対応するように設定することで、該着座者はその背部が上記背凭れ５によって的確に支持され、該着座者に対する高いサポート性が確保される、
上記背凭れ５が上記横架材３に対してその幅方向へ位置調整可能とされていることで、例えば、上記横架材３の長さを変更して上記左右一対の支柱１，１の対向間隔を変化させた場合においても、上記背凭れ５を上記横架材３の軸方向中央部（換言すれば、上記左右一対の支柱１，１の対向間隔の略中央部）に位置させて、便座への着座者の背中を上記背凭れ５によって確実に且つ安定的にサポートすることができる、
等の効果が得られる。
【発明を実施するための最良の形態】
【００１６】
以下、本願発明を好適な実施形態に基づいて具体的に説明する。
【００１７】
図１には、本願発明の実施形態に係るトイレ用介助装置Ｚを、便器８１と便座８２を備えた洋式トイレＸの後部に配置した状態を示している。
【００１８】
上記介助装置Ｚは、図１及び図２に示すように、枠状のフレーム構造をもつものであって、立設配置された左右一対の支柱１，１と、該各支柱１，１の下端に略直交状態で連結された左右一対の接地脚２，２と、上記各支柱１，１の上端間に横設されてこれら両者を連結する横架材３と、上記各横架材３，３の両端にそれぞれ枢支された左右一対の肘掛４，４と、上記横架材３に取付けられた背凭れ５を備えて構成される。
【００１９】
Ａ：支柱１の構成
上記支柱１は、図１，２及び図４，５に示すように、所定径のパイプ体で構成されるもので、下側に位置する第１主材１１と上側に位置する第２主材１２からなる上下二分割構造とされ、且つ該第１主材１１と第２主材１２を高さ調整機構Ｐによって高さ調整可能に接続して構成される。
【００２０】
上記高さ調整機構Ｐは、図５〜図７に示すように、上記第１主材１１の上端部の外周側に嵌挿固定された接合材１４と、上記第２主材１２の下端部の内周側に外方へ突出状態で嵌挿固定された中間材１３を備えて構成される。
【００２１】
上記中間材１３は、上記第２主材１２に内挿可能なパイプ体で構成され、その一側面に、軸方向へ所定間隔で弧状断面をもつ係合凹部１８（図８参照）を複数個（この実施形態では６個）形成するとともに、該各係合凹部１８にはそれぞれ孔１９を形成している。また、上記中間材１３の他側面には、上記各孔１９に対応するようにして孔２０を複数個形成している。
【００２２】
上記接合材１４は、上記第１主材１１に外挿可能なパイプ体で構成され、図７及び図８に示すように、上記第１主材１１への嵌挿状態において該第１主材１１の上端の直上に対応する位置の一側には、略扇状の断面形状をもつ開口１７を形成するとともに、軸心を挟んで上記開口１７に対向する位置には凹状の受孔４９を形成している。
【００２３】
また、上記開口１７部分には、支点ピン１６回りに回動可能に脱着レバー１５が取付けられている。この脱着レバー１５は、上記支点ピン１６が設けられた基部１５ａと該基部１５ａから側方へ延出する把持部１５ｂを備えて構成され、該基部１５ａには、その先端を弧状のガイド突面４７とするとともにネジ孔４８を設けた係合ピース４６が、該ガイド突面４７を突出させた状態で固定されている。
【００２４】
尚、上記ガイド突面４７は、図８（ロ）に示すように、上記把持部１５ｂを手前に引いた状態（以下、「ロックオフ位置」という）では、上記接合材１４の内周面と同一位置かそれより外側に位置される。これに対して、図８（イ）に示すように、上記把持部１５ｂを上記接合材１４側へ押し込んだ状態（以下、「ロック位置」という）では、上記係合ピース４６の軸心上に上記受孔４９が位置して、上記ガイド突面４７が上記接合材１４の内周面よりも内方へ所定量だけ突出される。
【００２５】
このように、上記接合材１４を備えた上記第１主材１１と、上記中間材１３を備えた上記第２主材１２は、上記接合材１４と中間材１３を介して上記脱着レバー１５により、接合固定される。
【００２６】
即ち、図５、図７に示すように、上記第２主材１２の中間材１３を、上記接合材１４を通して上記第１主材１１内に嵌挿し、図８（ロ）に示すように上記脱着レバー１５をロックオフ位置に設定した状態で、上記中間材１３の任意の係合凹部１８を上記接合材１４側の上記開口１７に対応させる。しかる後、上記脱着レバー１５をロックオフ位置からロック位置に作動させて、図８（イ）に示すように、上記係合ピース４６のガイド突面４７を上記中間材１３側に上記係合凹部１８に嵌入させる。さらに、上記ネジ孔４８に固定ピン３６を噛合させその先端側を、上記中間材１３の孔１９及び孔２０を通して上記受孔４９に係入させる。この状態では、上記中間材１３と接合材１４は、該接合材１４側の上記係合ピース４６と上記中間材１３側の上記係合凹部１８との圧接係合作用と、上記固定ピン３６による係合作用の両者によって、確実に接合固定される。
【００２７】
そして、この第１主材１１と第２主材１２からなる上記支柱１は、上記脱着レバー１５の係合ピース４６を、上記中間材１３側の複数の係合凹部１８の何れかに選択的に係入させることで、図６及び図７に示すようにその長さを増減させて高さ調整を行うことができるものである。
【００２８】
Ｂ：接地脚２の構成
上記接地脚２は、上記支柱１の下端をトイレ床面に固定するためのものであって、図４に示すように、所定長さのパイプ体で構成される。この接地脚２は、その軸方向の一端側に固定板２３を備える一方、他端側には次述のジョイント材２２が嵌挿される。上記ジョイント材２２は、Ｔ形形体をもつパイプ体であって、直状の第１嵌挿筒部２５には上記主材２１が嵌挿される一方、該第１嵌挿筒部２５に直交する第２嵌挿筒部２６には上記支柱１の下端が嵌挿される。尚、上記ジョイント材２２と上記支柱１の下端との固定は、上記第２嵌挿筒部２６に設けられた固定ネジ７２によって行われる。
【００２９】
上記ジョイント材２２の第１嵌挿筒部２５の側面には、軸方向に延びる長穴２７が形成されており、該長穴２７から差し入れた固定ネジ７１を上記主材２１側のビス孔２８に螺入し、これを締め込むことで上記主材２１はジョイント材２２に固定される。そして、上記固定ネジ７１の上記長穴２７内での位置を変更することで、該主材２１と固定板２３の相対位置を変更することができる。
【００３０】
上記ジョイント材２２にも固定板２４が設けられており、上記ジョイント材２２の第１嵌挿筒部２５に上記主材２１を嵌挿し、該主材２１側の固定板２３と上記固定板２３側の固定板２４をそれぞれトイレ床面側に固定することで、上記支柱１のトイレ床面への固定が行われる。従って、上記主材２１とジョイント材２２の相対位置を変更することで、上記支柱１のトイレ床面上における立設位置が、前後方向に調整されるものである（図１参照）。
【００３１】
Ｃ：横架材３の構成
上記横架材３は、図４に示すように、所定径のパイプ体で構成されるもので、第１主材３１と第２主材３２からなる二分割構造とされ、且つ該第１主材３１と第２主材３２を長さ調整機構Ｑによって長さ調整可能に接続して構成される。
【００３２】
上記長さ調整機構Ｑは、上記支柱１側に設けられた上記高さ調整機構Ｐと同様の構成をもつものであって、図９に示すように、上記第１主材３１の端部の外周側に嵌挿固定された接合材３４と、上記第２主材３２の端部の内周側に嵌挿固定された中間材３３を備えて構成される。そして、上記接合材３４の一側に脱着レバー３５が設けられるとともに、上記中間材３３側には係合孔６１を備えた複数の係合凹部６０が設けられており、該係合凹部６０に上記脱着レバー１５側の係合ピース３８を係入させ、且つ固定ピン３６を挿通することで、上記中間材３３と接合材３４を介して上記第１主材３１と第２主材３２が接合されるとともに、上記脱着レバー１５側の係合ピース３８を複数の上記係合凹部６０に選択的に係入させることで、上記横架材３の長さ調整が行われるものである。
【００３３】
この場合、上記第１主材３１は上記一対の支柱１，１の一方側の上端に固定されて一体化されており、また上記第２主材３２は上記一対の支柱１，１の他方側の上端に固定されて一体化されているため、上記横架材３の長さ調整によって、上記一対の支柱１，１の対向間隔（即ち、トイレ用介助装置Ｚの幅方向）の調整が行われることになる。
【００３４】
ここで、上記支柱１側の上記高さ調整機構Ｐと上記横架材３側の上記長さ調整機構Ｑが異なる点は、該長さ調整機構Ｑにおいては上記接合材３４の一側に、その軸方向に所定間隔で係合孔６１が形成されている点である。この接合材３４に設けられた上記係合孔６１は、上記横架材３に後述の背凭れ５を取付け且つその位置調整を行うためのものである。
【００３５】
Ｄ：肘掛４の構成
上記肘掛４は、図１〜図４に示すように、所定長さのパイプ体でなるフレーム材４１と、該フレーム材４１の先端寄りの上面に取付けられた肘受材４２を備えて構成され、上記フレーム材４１の基端部が、枢支体６を介して上記横架材３の上記第１主材３１の端部と上記第２主材３２の端部に、それぞれ取付けられている。
【００３６】
上記枢支体６は、ストッパー機能を備えた従来周知の構造をもつものであって、その具体的構造の説明は省略するが、上記肘掛４を、図１〜図３にそれぞれ実線図示するように上記横架材３側から前方へ略水平に延出する延出姿勢と、同各図に鎖線図示するように上記横架材３側から上方へ跳ね上げられた跳上げ姿勢との間で姿勢変更自在に支持するとともに、特に上記延出姿勢においては、具備するストーパー機能（図示省略）によって、上方からの荷重に対してもこれを支持してその姿勢を保持し得るように構成されている。尚、上記左右一対の肘掛４，４は、それぞれ個別に姿勢変更可能とされることは言うまでも無い。
【００３７】
Ｅ：背凭れ５の構成
上記背凭れ５は、図１に示すように、上記洋式トイレＸの後部に上記介助装置Ｚを設置した状態において、上記洋式トイレＸの後部上方に立設状態で配置されて、上記便座８２に着座した使用者の背中をサポートし、該使用者の姿勢保持を助けるものである。この背凭れ５は、図２〜図４、及び図１２に示すように、縦長矩形の平板状形体をもち、その下端部が次述のブラケット５４を介して上記横架材３における上記接合材３４部分に取付けられている。
【００３８】
即ち、上記背凭れ５は、図１２（イ）に示すように、縦長矩形の平板状形体をもつ支持板５１の前面にクッション５２を載置しその外側を表皮５３によって覆う一方、上記支持板５１の背面側には背板５０を取付けて構成される。そして、上記背板５０の下端部に次述のブラケット５４が取付けられ、該ブラケット５４を介して上記横架材３側に支持されている。
【００３９】
上記ブラケット５４は、図１０及び図１２に示すように、上記背凭れ５の背板５０側に固定ネジ７４によって締着固定された半割れ筒状の第１ピース５５と、該第１ピース５５
に対向状態で衝合され固定ネジ７３によって締着固定される半割れ筒状の第２ピース５６で構成され、これら両者間で上記横架材３側の上記接合材３４を挟持することで、上記背凭れ５を上記横架材３に固定する。
【００４０】
ここで、この実施形態では、上記背凭れ５を、図１２（イ）に示す直立姿勢と、同図（ロ）に示すように直立姿勢から後方へ角度α（例えば、１５°）だけ後傾した後傾姿勢の間において姿勢変更可能とするために、以下の構成を採用している。即ち、上記ブラケット５４の上記第２ピース５６の内面に突起５７を形成し、該突起５７を、上記横架材３側の上記接合材３４の外周面の一側に設けられた上記各係合孔６１に係入せしめている。この場合、上記係合孔６１は、上記接合材３４の周方向に長軸をもつ長孔とし、該係合孔６１に係入した上記突起５７が該係合孔６内においてその長軸方向へ上記各度αだけ移動し得るようにしている。また、上記係合孔６１の短軸方向の寸法は、上記突起５７の径寸法より僅かに大きな寸法とされている。
【００４１】
従って、図１２（イ）に示すように、上記背凭れ５が直立姿勢にあるとき、上記突起５７が上記係合孔６１の上端に当接して該背凭れ５がそれ以上に前傾するのが規制された状態となるように設定すると、この直立姿勢から上記背凭れ５を後傾させると、図１２（ロ）に示すように、上記背凭れ５が角度αだけ後傾して後傾姿勢に設定された状態では、上記突起５７が上記係合孔６１の下端に当接し、それ以上に後傾するのが規制されることになる。
【００４２】
一方、上記横架材３側の上記接合材３４に設けられた上記各係合孔６１の形成間隔を、上記第２主材３２の中間材３３に設けた上記各孔６２の形成間隔に合致させている。このように構成することで、例えば、上記孔６２の選択によって上記横架材３の長さを変更した場合、これに対応して、上記ブラケット５４の上記突起５７が係入する上記接合材３４側の係合孔６１を変更することで、上記横架材３の長さ変更に拘わらず、上記背凭れ５を該横架材３の軸方向中央位置に常時設定することが可能となる。換言すれば、介助装置Ｚの幅寸法が変更されても、これに影響されることなく、上記背凭れ５を常時幅方向中央に設置することができる。
【００４３】
尚、この実施形態では、上述のように、上記背凭れ５の下端部を、上記ブラケット５４を介して上記横架材３側に固定するようにしていたが、本願の他の実施形態においては、図１３に示すように、上記ブラケット５４を上記背凭れ５の上下方向中段位置に設け、上記背凭れ５をその中段部分を中心にして傾動させるように構成することもできる。このように構成した場合には、上記背凭れ５はその傾動に伴って下端側と上端側の双方が前後方向に変位することから、図１２に示すように上記背凭れ５の下端側を中心にして傾動する場合のように側背凭れ５の下端側は殆ど変位せず、上端側が大きく変位する構成に比して、サポート形態のバリエーションが増えるという利点がある。
【００４４】
Ｆ：介助装置Ｚの設置状態
以上のように構成された各部材からなる上記介助装置Ｚを、上記洋式トイレＸの後部に設置した状態が、図１に示す状態である。この設置状態においては、上記左右一対の肘掛４，４が上記洋式トイレＸの両側方において、便座８２の後端側から前方へ延出している。また、上記便座８２の後部上方には、上記背凭れ５が配置されている。
【００４５】
そして、この介助装置Ｚにおいては、
第１に、上記各支柱１，１の高さを調整することで、上記各肘掛４，４に高さ位置を変更することができ、
第２に、上記横架材３の長さを調整することで、上記左右一対の支柱１，１巻の間隔、即ち、上記洋式トイレＸを幅方向に跨いでその両側にそれぞれ位置する上記一対の肘掛４，４の対向間隔、延いては上記便座８２の上方における幅方向スペースを増減変更することができ、
第３に、上記接地脚２の後端寄りに取付けられた上記ジョイント材２２の位置を側接地脚２の軸方向に移動させることで、上記接地脚２を移動させること無く、上記支柱１，１から上側部分のみを一体として前後方向へ移動させることができ、
第４に、上記介助装置Ｚの幅寸法を変更しても、上記背凭れ５を該介助装置Ｚの幅方向中央に常時設置できるものである。
【００４６】
この結果、この実施形態の介助装置Ｚにおいては、以下のような作用効果が得られる。
（イ）  左右一対の上記支柱１，１が高さ調整可能とされるとともに、該各支柱１，１の上端部同士を連結する上記横架材３が長さ調整可能とされていることで、上記各支柱１，１の上端部又は上記横架材３の両端部に取付けられた左右一対の上記肘掛４，４の高さ位置及び幅方向の間隔を、便座８２へ着座した使用者の体格あるいは好みの着座姿勢に応じて最適に調整することができるとともに、上記背凭れ５が上記横架材３に設けられており、上記支柱１の高さ調整に伴う上記肘掛４の高さの変化に追従して上記背凭れ５の高さも変更されるので、便座への着座者は、上記肘掛４と上記背凭れ５の双方を一体として自己の好みに応じた最適状態で使用することができ、これらの相乗効果として、用便使用時の利便性及び快適性に優れたトイレ用介助装置Ｚを提供できる。
（ロ）  上記各支柱１，１の下端を、上記便器８１の幅方向両側において該便器８１の前後方向へ向けて平行に接地固定された直状形体をもつ左右一対の接地脚２，２に対して、該接地脚２，２の軸方向へ位置調整可能に固定しているので、上記接地脚２，２全体を着脱することなく、上記支柱１，１の移動という簡単な操作のみによって、上記肘掛４，４及び背凭れ５を一体的に、上記便器８１に対してその前後方向へ移動させて便座に着座した使用者の体格あるいは好みの着座姿勢に応じて最適に調整することができ、用便使用時の利便性及び快適性の更なる向上とともに、設置作業及び位置調整作業における作業性の向上が期待できる。
（ハ）  上記背凭れ５を、上記横架材３に対して、前後方向へ傾動可能に、且つ幅方向へ位置調整可能に取付けるようにしているので、上記背凭れ５の傾斜角を、便座に着座した着座者の背中の傾きに対応するように設定することで、該着座者はその背部が上記背凭れ５によって的確に支持され、該着座者に対する高いサポート性が確保される。
【００４７】
また、上記背凭れ５が上記横架材３に対してその幅方向へ位置調整可能とされていることで、例えば、上記横架材３の長さを変更して上記左右一対の支柱１，１の対向間隔を変化させた場合においても、上記背凭れ５を上記横架材３の軸方向中央部（換言すれば、上記左右一対の支柱１，１の対向間隔の略中央部）に位置させて、便座への着座者の背中を上記背凭れ５によって確実に且つ安定的にサポートすることができることになる。
Ｇ：梱包性
ところで、上記介助装置Ｚは、これを流通過程におく場合には、これを梱包して出荷するが、この場合、上記介助装置Ｚがそれ全体として枠状形体をもつことから、これを一体化した状態、あるいはこれに近い状態で梱包すると、必要以上に梱包形体が大きくなり、商品流通上不経済である。
【００４８】
しかし、この実施形態の介助装置Ｚにおいては、この梱包性を考慮して、各構成部材を適当に分割することで、よりコンパクトな梱包形体を実現している。
【００４９】
この実施形態では、図１４に示すように、上記介助装置Ｚを、平面的形体とすることができる部品毎に分解して六つの部品郡Ａ１〜Ａ６に分解して梱包するようにしている。
【００５０】
即ち、一方の支柱１の第２主材１２と上記横架材３の第１主材３１及び一方の肘掛４で第１物品郡Ａ１を、他方の支柱１の第２主材１２と上記横架材３の第２主材３２及び他方の肘掛４で第２物品郡Ａ２を、上記背凭れ５で第３の部品郡Ａ３を、一方の支柱１の第１主材１１とこれに取付けられた上記ジョイント材２２で第４の部品郡Ａ４を、他方の支柱１の第１主材１１とこれに取付けられた上記ジョイント材２２で第５の部品郡Ａ５を、さらに、二本の上記接地脚２，２で第６の部品郡Ａ６を構成している。
【００５１】
そして、第１及び第２の部品郡Ａ１，Ａ２は、これを共に平面状に展開し且つ第１部品郡Ａ１の第１主材３１と第２の部品郡Ａ２の第２主材３２を入れ合わせ状態で対向させて梱包箱３０の長手方向の一端寄りに収納する。第３の部品郡Ａ３を単独で構成する上記背凭れ５はこれを上記第１及び第２の部品郡Ａ１，Ａ２に第２主材１２，１２間の空きスペース部分に収納し、第４及び第５の部品郡Ａ４，Ａ５は、上下入れ違い状態で上記梱包箱３０の長手方向の他端寄りに収納する。さらに、第６の部品郡Ａ６は、その構成材である上記接地脚２，２を並置状態で、上記第４及び第５の部品郡Ａ４，Ａ５の隣に収納する。かかる収納形態とすることで、より厚さの薄い梱包箱３０内に上記介助装置Ｚを効率良く収納することができるものである。
【図面の簡単な説明】
【００５２】
【図１】本願発明の実施形態に係るトイレ用介助装置を洋式トイレ部分に設置した状態を示す斜視図である。
【図２】上記トイレ用介助装置の前面側からの斜視図である。
【図３】上記トイレ用介助装置の背面側からの斜視図である。
【図４】図１に示したトイレ用介助装置の分解斜視図である。
【図５】図４に示したトイレ用介助装置の支柱部分の要部である。
【図６】上記トイレ用介助装置の高さ調整機能の説明図である。
【図７】上記支柱の拡大断面図である。
【図８】上記支柱に備えられた脱着レバーの拡大断面図である。
【図９】上記トイレ用介助装置における横桟の断面図である。
【図１０】上記トイレ用介助装置における横幅調整機能の説明図である。
【図１１】上記トイレ用介助装置における背もたれ部分の分解斜視図である。
【図１２】上記トイレ用介助装置における背もたれの作動説明図である。
【図１３】上記トイレ用介助装置における背もたれの他の作動説明図である。
【図１４】上記トイレ用介助装置の梱包形態説明図である。
【符号の説明】
【００５３】
１    ・・支柱
２    ・・接地脚
３    ・・横架材
４    ・・肘掛
５    ・・背凭れ
６    ・・枢支体
１１    ・・第１主材
１２    ・・第２主材
１３    ・・中間材
１４    ・・接合材
１５    ・・脱着レバー
１６    ・・支点ピン
１７    ・・開口
１８    ・・係合凹部
１９    ・・孔
２０    ・・孔
２１    ・・主材
２２    ・・ジョイント材
２３    ・・固定板
２４    ・・固定板
２５    ・・第１嵌挿筒部
２６    ・・第２嵌挿筒部
２７    ・・長穴
２８    ・・ビス孔
３０    ・・梱包箱
３１    ・・第１主材
３２    ・・第２主材
３３    ・・中間材
３４    ・・接合材
３５    ・・脱着レバー
３６    ・・固定ピン
３７    ・・支点ピン
４１    ・・フレーム材
４２    ・・肘受材
４７    ・・ガイド突面
４８    ・・ネジ孔
４９    ・・受孔
５０    ・・背板
５１    ・・支持板
５２    ・・クッション
５３    ・・表皮
５４    ・・ブラケット
５５    ・・第１ピース
５６    ・・第２ピース
５７    ・・突起
６０    ・・係合凹部
６１    ・・係合孔
６２    ・・孔
６３    ・・孔
７１    ・・固定ネジ
７２    ・・固定ネジ
７３    ・・固定ネジ
７４    ・・固定ネジ
８１    ・・便器
８２    ・・便座
８３    ・・水タンク
８４    ・・電装品部
Ｐ    ・・高さ調整機構
Ｑ    ・・長さ調整機構
Ｘ    ・・洋式トイレ
Ｚ    ・・介助装置
【図１】
2007151908.tif 000003
【図２】
2007151908.tif 000004
【図３】
2007151908.tif 000005
【図４】
2007151908.tif 000006
【図５】
2007151908.tif 000007
【図６】
2007151908.tif 000008
【図７】
2007151908.tif 000009
【図８】
2007151908.tif 000010
【図９】
2007151908.tif 000011
【図１０】
2007151908.tif 000012
【図１１】
2007151908.tif 000013
【図１２】
2007151908.tif 000014
【図１３】
2007151908.tif 000015
【図１４】
2007151908.tif 000016